(57)【要約】      （修正有）【課題】１つのマスクサイズについて、より広範囲の使用者に同様に良好な密着性、使用感を与え得る立体マスクを提供する。【解決手段】立体マスクは、ポリウレタンフォームシートからなる左右対称な１枚の連続したシート部材１からなり、中央の対称中心線Ｏ上に湾曲した上部接合部、直線状の下部接合部、及びそれらの間にシート連続部が、マスク左右半部２，３を対称中心線で二つ折りしたときに外方へ膨らんだ立体形状を形成するように設けられている。シート連続部は、十分な弾性及び柔軟性を有し、使用者が鼻部及び顎部をそれぞれ上部及び下部接合部の内側に当接させて着用したとき、人によって異なる鼻部と顎部の相対的な位置の差異を吸収するように変形できるので、良好な密着性、使用感が得られる。【選択図】図１
0003215563.tif 000002
【実用新案登録請求の範囲】
【請求項１】
左右対称な１枚の連続したシート部材からなり、
前記シート部材は、中央の対称中心線上に上部接合部と、下部接合部と、それらの間に設けられたシート連続部とを有し、
前記上部及び下部接合部と前記シート連続部とは、前記シート部材を前記対称中心線で二つ折りしたとき、それらが外側に向けて前記シート連続部を先にした凸形状をなすように構成されていることを特徴とする立体マスク。
【請求項２】
前記シート部材は、ポリウレタンフォームシートから形成されていることを特徴とする請求項１に記載の立体マスク。
【請求項３】
前記シート部材は、前記対称中心線で二つ折りしたとき、前記上部接合部が外側に凸の湾曲形状をなし、前記下部接合部が直線状をなすように形成されていることを特徴とする請求項１又は２に記載の立体マスク。
【請求項４】
前記シート部材の左右の両端部にそれぞれ設けられた耳掛け部を更に有することを特徴とする請求項１乃至３のいずれかに記載の立体マスク。
【考案の詳細な説明】
【技術分野】
【０００１】
本考案は、人の鼻口部を覆うための立体マスクに関するものである。
【背景技術】
【０００２】
従来より、人の顔にフィットする立体形状に形成された様々な形態のマスクが提案されている（例えば、特許文献１，２を参照）。特許文献１に記載のマスクは、口部と、口部の上方に鼻の外側の形状とぴったり合うように形成された先細部と、口部の後方に形成された耳掛け部とからなる左右対称の左右シートから構成されている。前記左右シートは、それらの一端で超音波結合され、左右に拡げると膨らんで、スペースを介して鼻と口の部位をカバーするように立体形成されている。
【０００３】
特許文献２に記載のマスクは、一端側に耳掛け部として開口部を、及び他端に外方へ膨らんだ湾曲形状部を形成した２枚のシート状のマスク半体からなり、両マスク半体を湾曲形状部で接合して形成されており、該マスク半体を広げると、湾曲形状部がマスク外方へ膨出して口及び鼻孔を含む顔面の一部を覆うように構成されている。前記マスク半体は、使用中にずれにくく、通気性が良好で使用感に優れたマスクを提供するように、弾性を有するポリウレタンフォームを除膜した材質で形成されている。
【先行技術文献】
【特許文献】
【０００４】
【特許文献１】実用新案登録第３０５４１２９号公報
【特許文献１】特開２０１１−９２５５９号公報
【考案の概要】
【考案が解決しようとする課題】
【０００５】
上述した従来のマスクは、開いたときに人の鼻及び口に当たる部分が外方へ膨らんだ形状となるように、左右対称の２つのシート状部材を互いに、外側へ湾曲した縁部に沿って接合している。そのため、完成したマスクの中央には、その上端から下端まで全長に亘って連続したリブ形状の接合部が形成される。
【０００６】
このような接合部は、リブ形状自体の剛性によって、マスク着用者の口元及び鼻孔の周囲に隙間が確保されるので、呼吸し易く、口を動かし易い利点がある。しかしながら、一般に着用者の顔の大きさや造作は千差万別であり、性別や年齢によっても異なる。そのため、マスクのサイズが１つであったり少ない場合、前記リブ形状の剛性により、着用者によって鼻柱や顎部に当たる位置が異なるため、却ってマスクの密着性を低下させたりずれ易くし、その結果着用者の使用感を損ねたり、不快感を生じさせる虞がある。他方、マスクのサイズを細かく分けるのは、実際上困難であり、その上価格が高騰するので、好ましくない。
【０００７】
そこで、本考案は、上述した従来技術の問題点に鑑みてなされたものであり、その目的は、着用者により良好な密着性、使用感を与え得る立体マスクを提供することにある。
更に本考案の目的は、１つのマスクサイズについて、より広範囲の利用者に同様に適用可能な立体マスクを提供することにある。
【課題を解決するための手段】
【０００８】
本考案は、左右対称な１枚の連続したシート部材からなり、
該シート部材は、中央の対称中心線上に上部接合部と、下部接合部と、それらの間に設けられたシート連続部とを有し、
上部及び下部接合部とシート連続部とは、シート部材を前記対称中心線で二つ折りしたとき、それらが外側に向けてシート連続部を先にした凸形状をなすように構成されている立体マスクであることを特徴とする。
【考案の効果】
【０００９】
本考案の立体マスクは、中央の対称中心線上に上部接合部と下部接合部との間に設けられたシート連続部が、両接合部よりも少なくとも柔軟性を有するから、着用者が鼻部を上部接合部の内側に、顎部を下部接合部の内側にそれぞれ当接させたときに、人によって異なる鼻部と顎部の相対的な位置の差異を吸収するように変形できる。従って、１つのマスクサイズについて、より広範囲の利用者に適用でき、同様に良好な密着性、使用感を与える、という利点がある。
【図面の簡単な説明】
【００１０】
【図１】図１は、本考案の立体マスクを形成するためのシート材の平面図である。
【図２】図２は、本考案の立体マスクを対称中心線で二つ折りにした状態の平面図である。
【図３】図３は、使用時に本考案の立体マスクを左右に開いた状態の斜視図である。
【考案を実施するための形態】
【００１１】
以下に、添付図面を参照しつつ、本考案の立体マスクをその好適な実施態様に基づいて詳細に説明する。
【００１２】
図１は、本考案による好適な実施形態の立体マスクを形成するためのシート部材１を示している。シート部材１は、中央の対称中心線Ｏに関して左右対称なマスク左半部２とマスク右半部３とを有し、連続する１枚のシート材料で形成されている。
【００１３】
マスク左半部２とマスク右半部３とは、対称中心線Ｏ上、中間部で左右に連続し、その上部及び下部でそれぞれ上部切込み部４と下部切込み部５とにより左右に切り離されている。上部切込み部４は、シート部材１の上端まで上向き外側に円弧状に拡開する略Ｖ字形状に形成されている。下部切込み部５は、対称中心線Ｏ上でシート部材１の下端まで直線状に延長する切込み線で形成されている。
【００１４】
マスク左半部２及びマスク右半部３の上部は、それぞれ上部切込み部４の左右の切込み線４ａ，４ｂを一辺として上向きに先細の略三角形状をなしている。前記マスク左半部及びマスク右半部の上縁部は、前記略三角形状の上端から左右方向の中間位置付近まで、それぞれ左右両側に下向きに比較的急な角度で概ね直線状に傾斜し、その後左右両端に向けて緩やかな下向きの傾斜角度で直線状に延長している。前記マスク左半部及びマスク右半部の下縁部は、下部切込み部５の下端からそれぞれ左右両端に向けて緩やかな上向きの傾斜角度で直線状に延長している。
【００１５】
マスク左半部２及びマスク右半部３の左右各端部には、それぞれ耳掛け部６，７がシート部材１により連続して設けられている。耳掛け部６，７の外郭は、略半円状に湾曲させて形成され、その上縁及び下縁がそれぞれ、上述した前記マスク左半部及びマスク右半部の上縁部及び下縁部に滑らかに連続している。耳掛け部６，７の概ね中央には、耳通し孔８，９がそれぞれ開設されている。本実施形態の耳通し孔８，９は、左右両端側から中央側に向けて先細の卵形に形成されているが、その形状は卵形に限定するものではなく、真円形、楕円形、長円形、半円形若しくは多角形、又はそれらの組合せなど、様々な形状が可能である。
【００１６】
シート部材１は、立体マスクとして十分な柔軟性及び弾性を有するポリウレタンフォームシートで形成されている。このようなポリウレタンフォームシートは、例えば上記特許文献２に記載されるように、従来からマスク材料として広く知られかつ使用されている。マスク材料としてのポリウレタンフォームシートは、適当な通気性が得られるように除膜したものが好ましく、そのセル数、伸び率等の特性やシート厚さ等は、マスクとしての密着性や肌触り、その取扱い上及び使用上、好ましい柔軟性や弾性、伸縮性が得られるように適当に設定される。
【００１７】
本考案の立体マスクは、図１のシート部材１を対称中心線Ｏで二つ折りにし、その状態で上部切込み部４及び下部切込み部５の辺縁に沿ってマスク左半部２とマスク右半部３と接合することによって、製造することができる。図１に想像線で示すように、マスク左半部２及びマスク右半部３の上部には、それぞれ上部切込み部４の切込み線４ａ，４ｂに沿って所定幅の上部切込み縁部１０ａ，１０ｂを設定することができる。上部切込み縁部１０ａ，１０ｂの境界線は、切込み線４ａ，４ｂに対応して外側に凸の円弧状に湾曲している。マスク左半部２及びマスク右半部３の下部には、同様にそれぞれ下部切込み部５に沿って両側に所定幅の下部切込み縁部１１ａ，１１ｂを設定することができる。下部切込み縁部１１ａ，１１ｂの境界は、下部切込み部５に対応して直線状に設けられている。
【００１８】
図２は、上述した二つ折りの状態で上下に重なり合う上部切込み縁部１０ａ，１０ｂ同士、及び下部切込み縁部１１ａ，１１ｂ同士をそれぞれ接合して形成した、本考案による立体マスク１２を示している。同図に示すように、上部切込み縁部１０ａ，１０ｂは外側へ凸の円弧状に湾曲した上部接合部１３を形成し、下部切込み縁部１１ａ，１１ｂは直線状の下部接合部１４を形成している。
【００１９】
上下方向に上部接合部１３と下部接合部１４との間は、対称中心線Ｏ上でマスク左半部２とマスク右半部３とが１枚のシートとして左右に連続するシート連続部１５を構成している。図１に示すように、上部切込み縁部１０ａ，１０ｂ及び下部切込み縁部１１ａ，１１ｂは、シート材料が左右に連続する前記中間部の、上部及び下部切込み部４、５に隣接する部分を少し含むように設定することが好ましい。これにより、上部及び下部接合部１３、１４は、シート連続部１５との間にシート材料が接合されない隙間を作らないように形成される。
【００２０】
マスク左半部２とマスク右半部３との接合は、従来公知の様々な方法によって行うことができる。例えば、シート部材１がポリエステル系のポリウレタンフォームで形成されている場合、熱溶着、振動溶着、超音波溶着、レーザー溶着等の溶着によって接合することができる。溶着以外の接合方法として、反応系又は溶液系等の各種接着剤やホットメルト接着剤による接着や縫着等が可能である。
【００２１】
本実施形態において、下部接合部１４は、図２に示すように、シート連続部１５に関して下端側が耳掛け部６（７）側に幾分後退している。上部接合部１３は、元より上端側がシート連続部１５に関して耳掛け部６（７）側に湾曲している。従って、図２の二つ折り状態において、立体マスク１２の接合された側（図中右側）の辺縁部分は、外側に向けてシート連続部１５を先にした凸形状を有する。
【００２２】
本考案の立体マスク１２は、図２のように中央の接合部側を外向き凸形状に形成することによって、使用時にマスク左半部２及びマスク右半部３を左右に開いたときに、中央のシート連続部１５を先にして外側に膨らんだ立体形状に形成することができる。図３は、このように左右に開いた立体形状の立体マスク１２を示している。
【００２３】
同図に示すように、本考案の立体マスク１２は、使用時に外側に膨らんだ立体形状を形成するので、使用者がその鼻部を上部接合部１３の内側に、顎部を下部接合部１４の内側に当接させて着用したとき、鼻孔及び口元の周囲に隙間を確保することができる。そのため、使用者は、良好な密着性、使用感を得ることができる。
【００２４】
しかも、鼻部と顎部の相対的な位置が異なる別の使用者が同じサイズの立体マスク１２を着用した場合でも、シート連続部１５が、本実施形態ではポリウレタンフォームであるシート材料の柔軟性及び弾性によって変形して、鼻部と顎部の相対的な位置の差異を吸収するので、使用者の鼻部及び顎部を上部及び下部接合部１３、１４の内側に概ね同じ位置で当接させることができる。その結果、本考案の立体マスク１２は、１つのマスクサイズについて、より広範囲の使用者に対して適用可能で、同様の良好な密着性、使用感を与えることができる。
【００２５】
上記実施形態では、耳掛け部６，７をシート部材１の一部によって形成したが、別の実施形態では、シート部材１とは別個に設けることができる。この場合、耳通し孔を有する別個のシート部材やゴム紐等の適当なリング状の紐部材をシート部材１の左右両端に結合することによって、耳掛け部を一体に設けることができる。
【００２６】
以上、本考案をその好適な実施態様に関連して説明したが、本考案は上記実施態様に限定されるものでなく、その技術的範囲において、様々な変更又は変形を加えて実施し得ることは言うまでもない。例えば、上部接合部１３を直線状にかつ下部接合部１４を外側に凸の円弧形状に形成することができ、又は、上部及び下部接合部１３、１４の両方を直線状に若しくは外側に凸の円弧形状に形成することができる。また、シート材料は、ポリウレタンフォーム以外に、例えばポリウレタン弾性繊維やポリエステル弾性繊維等の各種弾性繊維からなる不織布等、公知の様々なマスク材料を用いることができる。
【符号の説明】
【００２７】
１    シート部材
２    マスク左半部
３    とマスク右半部
４    上部切込み部
５    下部切込み部
６，７  耳掛け部
８，９  耳通し孔
１２    立体マスク
１３    上部接合部
１４    下部接合部
１５    シート連続部
【図１】
0003215563.tif 000003
【図２】
0003215563.tif 000004
【図３】
0003215563.tif 000005